(57)【要約】【課題】効果音を発生させるスピーカの設置部分（スピーカを収納したスピーカボックスの周囲等）を派手に発光させることが可能であり、趣向性の高い遊技機を提供する。【解決手段】パチンコ機の前面扉の左右の上端際には、スピーカ本体２３を内蔵したスピーカボックス１１ａ，１１ｂが設置されている。それらのスピーカボックス１１ａ，１１ｂにおいては、ハウジング２６内のスピーカ本体２３の前方の周囲に、ＬＥＤ５２，５２・・を搭載した基板５１が設置されている。そして、その基板５１の裏面には、側方を発光させるためのＬＥＤ５３，５３・・が搭載されている。【選択図】図６
2015119858.tif 000002
【特許請求の範囲】
【請求項１】
効果音を発生させるためのスピーカをハウジング内に収納してなるスピーカーボックスが機台の前面に設置された遊技機であって、
前記スピーカボックスが、スピーカの周囲の前方に、第一のＬＥＤ群を搭載した基板を設置し、かつ、その基板の裏面に、側方を発光させるための第二のＬＥＤ群を搭載したものであることを特徴とする遊技機。
【請求項２】
前記基板の裏面に設置された第二のＬＥＤ群の後方に、それらの第二のＬＥＤ群の光を側方に屈曲あるいは反射させるための屈曲反射板が設置されていることを特徴とする請求項１に記載の遊技機。
【請求項３】
前記ハウジングが、表面を白色にしたあるいはメッキしたものであることを特徴とする請求項１、または請求項２に記載の遊技機。
【発明の詳細な説明】
【技術分野】
【０００１】
本発明は、パチンコ機やスロットマシーン等の遊技機に関するものである。
【背景技術】
【０００２】
遊技機の一例であるパチンコ機は、機台の前面に片開き自在に蝶着された前面扉や遊技盤上に各種の発光部材が設置されており、所定のタイミングで（所謂「大当たり」が生起した場合等）、それらの発光部材を所定の態様で発光させて、雰囲気を盛り上げるようになっている。また、通常のパチンコ機は、前面扉にスピーカが設置されており、所定のタイミングで、そのスピーカから効果音を発生させるようになっている。ところが、スピーカは大きな効果音を発生させる必要があるためコンパクトに設計しにくく、当該スピーカの周辺に発光部材を設置しにくいため、スピーカ周辺の発光態様が貧弱なものとなり易い。それゆえ、特許文献１の如く、スピーカの前面を覆うように発光基板を設置した遊技機が提案されている。
【先行技術文献】
【特許文献】
【０００３】
【特許文献１】特開２００３−１２６３３８号公報
【発明の概要】
【発明が解決しようとする課題】
【０００４】
しかしながら、特許文献１の如き、スピーカの前面を覆うように発光基板を設置した遊技機は、スピーカの前方しか発光させることができず、さほど派手な発光演出を行うことはできないし、発光基板がスピーカの前面を覆っているため、効果音の発生効率が悪い、という不具合もある。
【０００５】
本発明の目的は、上記従来の遊技機が有する問題点を解消し、スピーカの設置部分（スピーカを収納したスピーカボックスの周囲等）を派手に発光させることが可能であり、趣向性の高い遊技機を提供することにある。
【課題を解決するための手段】
【０００６】
本発明の内、請求項１に記載された発明は、効果音を発生させるためのスピーカをハウジング内に収納してなるスピーカーボックスが機台の前面に設置された遊技機であって、前記スピーカボックスが、スピーカの周囲の前方に、第一のＬＥＤ群を搭載した基板を設置し、かつ、その基板の裏面に、側方を発光させるための第二のＬＥＤ群を搭載したものであることを特徴とするものである。
【０００７】
請求項２に記載された発明は、請求項１に記載された発明において、前記基板の裏面に設置された第二のＬＥＤ群の後方に、それらの第二のＬＥＤ群の光を側方に屈曲あるいは反射させるための屈曲反射板が設置されていることを特徴とするものである。
【０００８】
請求項３に記載された発明は、請求項１、または請求項２に記載された発明において、前記ハウジングが、表面を白色にしたあるいはメッキしたものであることを特徴とするものである。
【発明の効果】
【０００９】
請求項１に記載の遊技機は、これまで発光装飾が施されていなかったスピーカボックスの周囲（特に側方）を、第一のＬＥＤ群と第二のＬＥＤ群とを利用して高い輝度で発光させることにより、所定のタイミングで派手な発光演出をすることができるので、趣向性が高く、遊技者の遊技意欲を高く保持することができる。
【００１０】
請求項２に記載された遊技機によれば、スピーカボックスの側方を非常に高い輝度で発光させることが可能となるため、所定のタイミングで一段と派手な発光演出をすることができる。
【００１１】
請求項３に記載された遊技機によれば、スピーカボックス全体をきわめて高い輝度で発光させることが可能となるため、所定のタイミングできわめて派手な発光演出をすることができる。
【図面の簡単な説明】
【００１２】
【図１】パチンコ機の斜視図である。
【図２】前面扉の正面図である。
【図３】遊技盤の正面図である。
【図４】スピーカボックスの設置部分の水平断面図（図２におけるＡ−Ａ線断面図）である。
【図５】スピーカボックスの分解斜視図（前方上方から見た分解斜視図）である。
【図６】スピーカボックスの分解斜視図（後方下方から見た分解斜視図）である。
【発明を実施するための形態】
【００１３】
＜遊技機の構成＞
以下、本発明に係る遊技機の一種としてのパチンコ機について、図面にしたがって詳細に説明する。図１は、本発明に係るパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。また、前面枠３の中央よりやや上側には、遊技盤（図１では省略）が設置されており、その遊技盤の前面には、透明なガラス板を嵌め込んだ前面扉１２が、左端縁を中心として片開き自在に蝶着されている。図２は、前面扉１２を示したものであり、前面扉１２の左右の上端際には、効果音を発生させるためのスピーカ（後述するスピーカ本体２３）を内蔵したスピーカボックス１１ａ，１１ｂが設置されている。また、前面扉１２の左右の下端際にも、スピーカ１４，１４が設置されている。
【００１４】
一方、図３は、前面枠３に設置された遊技盤を示したものであり、遊技盤４の表面には、金属製で帯状のガイドレール８が円弧状に立設されており、当該ガイドレール８によって、略円形の遊技領域１０が区画された状態になっている。そして、当該遊技領域１０には、液晶画面９を有する図柄表示装置１３が設けられている。さらに、図柄表示装置１３の中央の下側には、始動入賞口１５が設けられており、その始動入賞口１５の右側には、大入賞口１８が設置されている。大入賞口１８は、内蔵された作動装置（図示せず）によって、横長な長方形の板状の扉部材を片開き（下端縁を軸として片開き）させることができるようになっている。加えて、遊技領域１０には、図柄表示装置１３や大入賞口１８の他に、入賞装置、電飾ランプ、風車等が設置されているとともに、多数の障害釘（図示せず）等が植設されている。
【００１５】
＜スピーカボックスの構成＞
図４は、前面扉１２のスピーカボックス１１ａ，１１ｂの設置部分の水平断面図であり、図５、図６は、スピーカボックス１１ｂの分解斜視図（部分分解斜視図）である。２個のスピーカボックス１１ａ，１１ｂは、左右対称に形成されており、それぞれ、装飾部材２１、カバー部材２２、ハウジング２６に収納されたスピーカ本体２３、屈折反射板として機能する２つの拡散部材２４ａ，２４ｂ等によって構成されている。
【００１６】
装飾部材２１は、合成樹脂によって略ドーナッツ状（リング状）に形成されている。そして、無色透明な合成樹脂製のベース体３１の前面に、黒色で透明な合成樹脂によってリング状に形成された低透光体３２が取り付けられている（４個の固着部材３３，３３・・によって固着されている）。また、中央の開口部には、スピーカ本体２３を保護するための金属によって網目状に形成されたスピーカカバー（図示せず）が取り付けられている。
【００１７】
また、カバー部材２２は、合成樹脂によって形成されており、扁平なドーナッツ状のベース部４１の外周縁に、略半筒状の側壁体４２を後方に突出させるように連設した形状を有している。当該側壁体４２の一部（図２、図４〜６におけるαの部分）は、透明な合成樹脂によって形成されており、それ以外の部分は、不透明な合成樹脂によって形成されている。また、ベース部４１の外周縁際には、複数の照射窓４３，４３・・が所定の間隔で穿設されている。さらに、ベース部４２の表面には、装飾部材２１と螺着するための４つのボス４４，４４・・が立設されている。
【００１８】
一方、ベース部４１の裏面においては、それらの照射窓４３，４３・・と隣接した部分に、拡散部材２４，２４ｂの先端縁際を嵌め込むための複数のガイド体４６，４６・・が二個一対で立設されており、ベース部４１の裏面の内側と外側とで同心の二重の円弧を描きつつ、所定の距離を隔てて対峙した状態になっている。さらに、ベース部４１の裏面には、ハウジング２６と螺着するための２つのボス４５，４５が立設されている。
【００１９】
また、カバー部材２２のベース部２１の表面には、扁平なドーナッツ状で、外径がベース部の外径より若干小さな基板５１が装着されている。当該基板５１の表面には、各種の色で発光可能な複数の（１６個の）チップ型のＬＥＤ（第一のＬＥＤ群）５２，５２・・が、散点状に設置されている。また、基板５１の裏面にも、各種の色で発光可能な複数の（６個の）チップ型のＬＥＤ（第二のＬＥＤ群）５３，５３・・が、外周縁際に沿って所定の間隔で設けられており、ベース部２１に穿設された照射窓４３，４３・・からベース部２１の裏面に露出した状態になっている。
【００２０】
また、ハウジング２６は、白色の合成樹脂によって中空状に形成されており、前ケース６１と後ケース６２とに分割することができるようになっている。そして、当該ハウジング２６の内部には、ダイナミック型のスピーカ本体２３が組み込まれており、当該スピーカ本体２３の振動板が前面に露出した状態になっている。
【００２１】
一方、拡散部材２４ａ，２４ｂは、無色透明な合成樹脂によってハウジング２６の外周面に沿うように扁平な曲面状に形成されている。そして、前後の端縁際には、カバー部材２２に螺着させるためのネジ孔を穿設した突片７１，７１が設けられている。また、拡散部材２４ａ，２４ｂの内面には、所定の大きさ（直径約１．８ｍｍで深さ約０．７ｍｍ）の逆円錐状の無数の凹部７２，７２・・が、所定の間隔（約２．０ｍｍ間隔）で規則正しく（ここでは、略格子状に）配設されている。さらに、各拡散部材２４ａ，２４ｂの前端縁には、基板５１の裏面から露出したＬＥＤ５３，５３・・に対向させるための複数（３個）の突起部７３，７３・・が略Ｖ字状に設けられている。なお、それらの突起部７３，７３・・の先端には、ＬＥＤ５３，５３・・の表面と対峙する平坦面が形成されている。
【００２２】
そして、各スピーカボックス１１ａ，１１ｂは、カバー部材２２のベース部４１のボス４４，４４・・を利用して装飾部材２１をカバー部材２２のベース部４１に螺着し、各拡散部材２４ａ，２４ｂの突片７１，７１のネジ孔穿設部分を、カバー部材２２の内面に螺着し（先端際を二個一対のガイド体４６，４６・・に嵌め込んだ状態で螺着し）、かつ、そのカバー部材２２を、裏面のボス４５，４５を利用してハウジング２６に螺着することによって一体的に組み付けられている。そして、そのように一体的に組み付けられたスピーカボックス１１ａ，１１ｂにおいては、各拡散部材２４ａ，２４ｂの板面（外面）が、カバー部材２２の透明部分αの板面（内面）に沿った（対峙した）状態になっているとともに、カバー部材２２と一体となった各拡散部材２４ａ，２４ｂの板面（外面）がハウジング２６の側面（曲面に）に沿った（対峙した）状態になっている。さらに、各拡散部材２４ａ，２４ｂの先端際の突起部７３，７３・・が、基板５１の裏面のＬＥＤ５３，５３・・と対峙した状態になっている。また、そのように一体的に組み付けられた各スピーカボックス１１ａ，１１ｂは、スペーサ部材２５，２５を利用して、前面扉１２に固着されている。
【００２３】
＜遊技機の作動内容＞
上記の如く構成されたパチンコ機１においては、発射ハンドル７の回動操作によって発射装置（図示せず）から遊技球が発射され、発射された遊技球が始動入賞口１５に入賞した場合に、内部に設置された制御装置（図示せず）において大当たり決定用の乱数取得が実行され、当該乱数取得の結果、所謂「大当たり」になった場合には、「大当たり状態」を生起させる。また、遊技球が始動入賞口１５に入賞する毎に、上記大当たり決定用乱数取得と同時に、図柄の変動態様決定用の乱数取得が実行され、制御装置の記憶手段に記憶された複数の変動態様の中から一つの変動態様が選択され、その変動態様に基づいて、図柄表示装置１３において所定の時間だけ図柄の変動表示を実行する。そして、当該変動表示の後に「大当たり図柄」あるいは「はずれ図柄」を表示することによって大当たり決定用乱数取得の結果を表示する。
【００２４】
「大当たり」となった場合に生起させる「大当たり状態」においては、大入賞口１８の扉部材１７，１７を所定回数だけ断続的に開成させる。したがって、遊技者は、「大当たり」が発生した場合には、多くの遊技球を大入賞口１８に入賞させることによって、多くの賞品球を獲得することができる。
【００２５】
さらに、パチンコ機１においては、上記の如く、遊技球が始動入賞口１５に入賞する毎に、図柄の変動態様の抽選を実行するが、所定の変動態様（たとえば、所謂、リーチ変動態様）が選択された場合には、所定のタイミングで、前面扉１２の下端際のスピーカ１４，１４およびスピーカボックス１１ａ，１１ｂのスピーカ本体２３，２３が、所定の態様で効果音を発生させる。また、かかる効果音の発生とともに、遊技盤４の盤面上の各種の発光部材（電飾ランプ等）が、所定の態様で発光演出動作を実行する。そして、その発光演出動作と対応して、スピーカボックス１１ａ，１１ｂのＬＥＤ５２，５２・・およびＬＥＤ５３，５３・・が所定の態様で発光する。
【００２６】
＜遊技機の効果＞
パチンコ機１は、上記の如く、左右のスピーカボックス１１ａ，１１ｂが、ハウジング２６内のスピーカ本体２３の前方の周囲に第一のＬＥＤ群であるＬＥＤ５２，５２・・を搭載した基板５１を設置し、かつ、その基板５１の裏面に、側方を発光させるための第二のＬＥＤ群５３，５３・・を搭載したものとなっている。それゆえ、これまで発光装飾が施されていなかったスピーカボックス１１ａ，１１ｂの周囲を、第一のＬＥＤ群５２，５２・・と第二のＬＥＤ群５３，５３・・とを利用して高い輝度で発光させることにより、所定のタイミングで派手な発光演出をすることができるので、趣向性が高く、遊技者の遊技意欲を高く保持することができる。
【００２７】
また、パチンコ機１は、基板５１の裏面に設置された第二のＬＥＤ群５３，５３・・の後方に、それらの第二のＬＥＤ群５３，５３・・の光をスピーカボックス１１ａ，１１ｂの側方に屈曲あるいは反射させるための屈曲反射板である拡散部材２４ａ，２４ｂが設置されており、スピーカボックス１１ａ，１１ｂの側方を非常に高い輝度で発光させることができるため、所定のタイミングで一段と派手な発光演出をすることができる。
【００２８】
さらに、パチンコ機１は、左右のスピーカ本体３２，３２が白色の合成樹脂製のハウジング２６内に収納されたものであり、スピーカボックス１１ａ，１１ｂ全体をきわめて高い輝度で発光させることができるため、所定のタイミングできわめて派手な発光演出をすることができる。
【００２９】
加えて、パチンコ機１は、基板５１の裏面に設置された第二のＬＥＤ群５３，５３・・の後方に、拡散部材２４ａ，２４ｂが設置されているとともに、それらの拡散部材２４ａ，２４ｂの前端縁に、略Ｖ字状の複数の突起部７３，７３・・が設けられており、かつ、拡散部材２４ａ，２４ｂの内面に、無数の凹部７２，７２・・が規則正しく設けられているので、基板５１の裏面の第二のＬＥＤ群５３，５３・・の光を効率良く拡散させることができ、スピーカボックス１１ａ，１１ｂの側面を高い輝度で発光させることができる。
【００３０】
＜遊技機の変更例＞
なお、本発明の遊技機の構成は、上記実施形態の態様に何ら限定されるものではなく、機枠、前面扉、遊技盤、図柄表示装置、スピーカボックス（装飾部材、カバー部材、ハウジング、拡散部材）等の形状、構造、材質等の構成を、本発明の趣旨を逸脱しない範囲で適宜変更することができる。
【００３１】
たとえば、遊技機は、上記実施形態の如く、スピーカボックスを前面扉の左右の上端際に設けたものに限定されず、前面扉の左右の下端際に設けたもの等に変更することも可能である。また、スピーカを内蔵するハウジングは、白色の合成樹脂によって形成したものに限定されず、表面の全体あるいは一部を金属メッキしたもの等に変更することも可能である。加えて、基板の表裏に設置するＬＥＤは、上記実施形態の如き扁平な矩形状のチップ型ＬＥＤに限定されず、砲弾型ＬＥＤ等に変更することも可能である。
【００３２】
加えて、上記実施形態では、遊技機の一例であるパチンコ機について説明しているが、本発明は、たとえば封入式パチンコ機等といった他の遊技機に対しても当然適用可能である。なお、特許請求の範囲、明細書および図面に記載される全ての要素（たとえば、第一のＬＥＤ群や第二のＬＥＤ群等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。たとえば、「制御手段」は、ハード単体でも、ソフトを含んだものであっても構わない。さらには、すべての要素のうちの複数の要素を適宜一体的に構成するか、もしくはひとつの要素を複数の要素に分けて構成するかは、あえて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３３】
１・・パチンコ機
１１ａ，１１ｂ・・スピーカボックス
２３・・スピーカ本体
２４ａ，２４ｂ・・拡散部材
２６・・ハウジング
５１・・基板
５２・・ＬＥＤ（第一のＬＥＤ群）
５３・・ＬＥＤ（第二のＬＥＤ群）
【図１】
2015119858.tif 000003
【図２】
2015119858.tif 000004
【図３】
2015119858.tif 000005
【図４】
2015119858.tif 000006
【図５】
2015119858.tif 000007
【図６】
2015119858.tif 000008